(57)【要約】【課題】ヒータ等の加熱手段の負荷を減じて電力と電力料金を節減するとともに、ポンプや配管の一部を加熱用熱交換器と共用して、風呂の追い焚きと貯湯タンク水の予熱とを行うことができる電気温水器を提供すること。【解決手段】貯湯タンク１内の下部に、浴槽７の水を導入して熱交換を行う熱回収用熱交換器８を設け、浴槽７の導出管７１に、加熱用熱交換器６と熱回収用熱交換器８の各導入管６２、８２をそれぞれ接続するとともに、浴槽の導入管７２に、加熱用熱交換器６と熱回収用熱交換器８の各導出管６１、８１をそれぞれ接続し、浴槽７の導出管７１の流路を加熱用熱交換器６側又は熱回収用熱交換器８側に選択的に切り替える切替弁９を設ける。【選択図】  図１
2004294019.tif 000002
【特許請求の範囲】
【請求項１】
貯湯タンクと、該貯湯タンクの下部に設けられた給水管と、貯湯タンクの上部に設けられた給湯管と、貯湯タンク内の上部に設けられ、浴槽の水を導入して熱交換を行う加熱用熱交換器とを備えた電気温水器において、貯湯タンク内の下部に、浴槽の水を導入して熱交換を行う熱回収用熱交換器を設け、浴槽の導出管に、加熱用熱交換器と熱回収用熱交換器の各導入管をそれぞれ接続するとともに、浴槽の導入管に、加熱用熱交換器と熱回収用熱交換器の各導出管をそれぞれ接続し、浴槽の導出管の流路を加熱用熱交換器側又は熱回収用熱交換器側に選択的に切り替える切替弁を設けたことを特徴とする電気温水器。
【請求項２】
熱回収用熱交換器の熱交換パイプを加熱用熱交換器の熱交換パイプより細径に設けたことを特徴とする請求項１記載の電気温水器。
【発明の詳細な説明】
【０００１】
【発明の属する技術分野】
本発明は、電気温水器に関し、特に、ヒータ等の加熱手段の負荷を減じて電力と電力料金を節減するとともに、ポンプや配管の一部を加熱用熱交換器と共用して、貯湯タンク水の予熱と風呂の追い焚きとを行うことができる電気温水器に関するものである。
【０００２】
【従来の技術】
従来、深夜電力を用いた電気温水器により給湯するシステムでは、浴槽等に給湯する場合、所定の温度に設定した温水を、浴槽の給湯口や蛇口から供給するようになっている。
この電気温水器は、例えば、貯湯タンクと、該貯湯タンクの下部に設けられた給水管と、貯湯タンクの上部に設けられた給湯管と、貯湯タンク内の下部に設けられた下部ヒータと、貯湯タンク内の上部に設けられた上部ヒータと、貯湯タンク内の上部に設けられ、浴槽の水を導入して熱交換を行う加熱用熱交換器を備えている。
すなわち、この電気温水器では、水道管から供給された水道水を貯湯タンクの下部ヒータや上部ヒータにより加熱するとともに、この加熱した温水を、直接或いは別の水道管からの水道水と混合することにより設定温度に調節し、この温度調節した温水を配管を介して給湯口や蛇口に供給することができる。
また、加熱用熱交換器により、浴槽の水を貯湯タンク内の温水で加熱し、風呂の追い焚きもすることができる。
【０００３】
【発明が解決しようとする課題】
ところで、上記従来の電気温水器では、貯湯タンクに供給された水道水をヒータによって加熱することから、冬期においては、低温の水を所定温度まで加熱するためにかなりの電力を使用する必要があり、深夜電力といえども電力料金が高くなるという問題を有している。また、水温が低すぎることにより、所定温度まで深夜電力の時間内で沸き上げきれなくなるという問題も有している。
【０００４】
本発明は、上記従来の電気温水器が有する問題点に鑑み、ヒータ等の加熱手段の負荷を減じて電力と電力料金を節減するとともに、ポンプや配管の一部を加熱用熱交換器と共用して、風呂の追い焚きと貯湯タンク水の予熱とを行うことができる電気温水器を提供することを目的とする。
【０００５】
【課題を解決するための手段】
上記目的を達成するため、本発明の電気温水器は、貯湯タンクと、該貯湯タンクの下部に設けられた給水管と、貯湯タンクの上部に設けられた給湯管と、貯湯タンク内の上部に設けられ、浴槽の水を導入して熱交換を行う加熱用熱交換器とを備えた電気温水器において、貯湯タンク内の下部に、浴槽の水を導入して熱交換を行う熱回収用熱交換器を設け、浴槽の導出管に、加熱用熱交換器と熱回収用熱交換器の各導入管をそれぞれ接続するとともに、浴槽の導入管に、加熱用熱交換器と熱回収用熱交換器の各導出管をそれぞれ接続し、浴槽の導出管の流路を加熱用熱交換器側又は熱回収用熱交換器側に選択的に切り替える切替弁を設けたことを特徴とする。
【０００６】
この電気温水器は、貯湯タンク内の下部に、浴槽の水を導入して熱交換を行う熱回収用熱交換器を設け、浴槽の導出管に、加熱用熱交換器と熱回収用熱交換器の各導入管をそれぞれ接続するとともに、浴槽の導入管に、加熱用熱交換器と熱回収用熱交換器の各導出管をそれぞれ接続し、浴槽の導出管の流路を加熱用熱交換器側又は熱回収用熱交換器側に選択的に切り替える切替弁を設けることから、貯湯タンクの水を浴槽の温水を利用して予熱し、ヒータ等の加熱手段の負荷を減じて電力と電力料金を節減するなどとともに、浴槽の導出管の流路を切替弁により切り替えるだけで、ポンプや配管の一部を加熱用熱交換器と共用して、前記貯湯タンク水の予熱と風呂の追い焚きとを行うことができる。
【０００７】
この場合において、熱回収用熱交換器の熱交換パイプを加熱用熱交換器の熱交換パイプより細径に設けることができる。
【０００８】
これにより、熱回収用熱交換器の循環流量を下げ、浴槽と貯湯タンクの温度差が小さい場合でも効率的に熱交換することができる。
【０００９】
【発明の実施の形態】
以下、本発明の電気温水器の実施の形態を図面に基づいて説明する。
【００１０】
図１に、本発明の電気温水器の１実施例を示す。
【００１１】
この電気温水器は、所要の容量を有する円筒状の貯湯タンク１と、該貯湯タンクの下部に設けられた給水管２と、貯湯タンク１の上部に設けられた給湯管３と、貯湯タンク１内の下部に設けられた下部ヒータ４と、貯湯タンク１内の上部に設けられた上部ヒータ５と、貯湯タンク１内の上部に設けられ、浴槽の水を導入して熱交換を行う加熱用熱交換器６とを備えている。
なお、ヒータは、適宜位置に１個設けるようにしたり、加熱手段として、ヒータに代えてヒートポンプユニット等の外部加熱手段を設けるようにすることもできる。
【００１２】
そして、この電気温水器は、貯湯タンク１内の下部に、浴槽７の水を導入して熱交換を行う熱回収用熱交換器８を設け、浴槽７の導出管７１に、加熱用熱交換器６と熱回収用熱交換器８の各導入管６２、８２をそれぞれ接続するとともに、浴槽の導入管７２に、加熱用熱交換器６と熱回収用熱交換器８の各導出管６１、８１をそれぞれ接続し、浴槽７の導出管７１の流路を加熱用熱交換器６側又は熱回収用熱交換器８側に選択的に切り替える切替弁９を設けている。
【００１３】
また、この電気温水器は、熱回収用熱交換器８の熱交換パイプ８３を加熱用熱交換器６の熱交換パイプ６３より細径に設けており、これにより、熱回収用熱交換器８の循環流量を下げ、浴槽７と貯湯タンク１の水温の差が小さい場合でも効率的に熱交換できるようにしている。
【００１４】
貯湯タンク１は、断熱材（図示省略）に覆われるとともに、縦長に形成されている。
深夜電力を利用して下部ヒータ４により加熱された水は、実際の使用時間になると、貯湯タンク１の上半部より上が高温の水で、下部は比較的低温の水となっている。
また、給湯や加熱用熱交換器６の使用により、貯湯タンク１内の上半部の水温が低下したときには、上部ヒータ５により加熱する。
【００１５】
給水管２は、図では省略しているが、水道管に接続されており、該水道管から貯湯タンク１に水を減った分だけ自動的に供給する。
また、給湯管３は、例えば、浴槽７や浴槽側の蛇口等に接続されており、途中で水道水と混合されることにより適温の温水を供給することができる。
【００１６】
切替弁９は、浴槽７の導出管７１が、加熱用熱交換器６の導入管６２と熱回収用熱交換器８の導入管８２とに接続される分岐部に配設されており、該切替弁９の上流側には追い焚き用のポンプ１０が設置されている。
【００１７】
かくして、本実施例の電気温水器は、貯湯タンク１内の下部に、浴槽７の水を導入して熱交換を行う熱回収用熱交換器８を設け、浴槽７の導出管７１に、加熱用熱交換器６と熱回収用熱交換器８の各導入管６２、８２をそれぞれ接続するとともに、浴槽７の導入管７２に、加熱用熱交換器６と熱回収用熱交換器８の各導出管６１、８１をそれぞれ接続し、浴槽７の導出管７１の流路を加熱用熱交換器６側又は熱回収用熱交換器８側に選択的に切り替える切替弁９を設けたことから、貯湯タンク１の水を浴槽７の温水を利用して予熱し、ヒータ４の負荷を減じて電力と電力料金を節減するとともに、浴槽７の導出管７１の流路を切替弁９により切り替えるだけで、ポンプ１０や配管の一部７１、７２を加熱用熱交換器６と共用して、前記貯湯タンク水の予熱と風呂の追い焚きとを行うことができる。
【００１８】
以上、本発明の電気温水器について、その実施例に基づいて説明したが、本発明は上記実施例に記載した構成に限定されるものではなく、その趣旨を逸脱しない範囲において適宜その構成を変更することができる。
【００１９】
【発明の効果】
本発明の電気温水器によれば、貯湯タンク内の下部に、浴槽の水を導入して熱交換を行う熱回収用熱交換器を設け、浴槽の導出管に、加熱用熱交換器と熱回収用熱交換器の各導入管をそれぞれ接続するとともに、浴槽の導入管に、加熱用熱交換器と熱回収用熱交換器の各導出管をそれぞれ接続し、浴槽の導出管の流路を加熱用熱交換器側又は熱回収用熱交換器側に選択的に切り替える切替弁を設けることから、貯湯タンクの水を浴槽の温水を利用して予熱し、ヒータ等の加熱手段の負荷を減じて電力と電力料金を節減するなどとともに、浴槽の導出管の流路を切替弁により切り替えるだけで、ポンプや配管の一部を加熱用熱交換器と共用して、前記貯湯タンク水の予熱と風呂の追い焚きとを行うことができる。
【００２０】
また、熱回収用熱交換器の熱交換パイプを加熱用熱交換器の熱交換パイプより細径に設けることにより、熱回収用熱交換器の循環流量を下げ、浴槽と貯湯タンクの温度差が小さい場合でも効率的に熱交換することができる。
【図面の簡単な説明】
【図１】本発明の電気温水器の１実施例を示す断面図である。
【符号の説明】
１    貯湯タンク
２    給水管
３    給湯管
４    下部ヒータ
５    上部ヒータ
６    加熱用熱交換器
６１  導出管
６２  導入管
６３  熱交換パイプ
７    浴槽
７１  導出管
７２  導入管
８    熱回収用熱交換器
８１  導出管
８２  導入管
８３  熱交換パイプ
９    切替弁
１０  ポンプ
【図１】
2004294019.tif 000003